(57)【要約】【課題】インターネットに接続されたパソコン上で、生花の通信制作配達販売とフラワーデザイン教室を運営する目的で、ディスプレイ画面上で、自由にかつ簡単に、誰にでも、スピーディーに、フラワーデザインを可能とする。【解決手段】視点を固定した状態で、各切花を、茎の根元の断面中心点を支点にして動かして、当該切花のあらゆる態様を撮影しておき、フラワーデザインに際して、切花の中心点を支点にして任意に動かした位置での画像を、切花の左右への回転の角度、前方傾斜の角度、茎軸回転の角度および草丈の長さを指定することで、当該切花の画像をパソコンのディスプレイ画面上に表示する手法を採ることによって、各切花のあらゆる態様を呼び出して表現でき、その結果、自由自在に無限に近いフラワーデザインが可能とする。【選択図】          図９
2004199295.tif 000002
【特許請求の範囲】
【請求項１】
視点を固定した状態で、１本の切花を、茎の根元の断面中心点を支点にして動かした場合、当該切花の、視点に向かっての前方傾斜と、視点に対して平行な左右への回転角度と、切花の茎の中心線を軸にした回転角度ごとに、フラワーアレンジメントを見る時の視点と同じ位置にカメラを固定して、切花の画像を撮影し、左右回転の角度と前方傾斜の角度と茎軸回転の角度及び草丈の長さごとに画像のファイル名を生成して保存しておくことを特徴とするフラワーデザイン方法。
【請求項２】
前記の切花の画像の撮影は、３方見で、クロスポイントが１つの状態で行ない、３方見でクロスポイントが１つのフラワーアレンジメントを実現可能としたことを特徴とする請求項１に記載のフラワーデザイン方法。
【請求項３】
フラワーデザインに際して、切花の中心点を支点にして任意に動かした位置での画像を、前記の左右への回転の角度、前方傾斜の角度、茎軸回転の角度および草丈の長さを指定することで、当該切花の画像をパソコンのディスプレイ画面上に表示可能としたことを特徴とする請求項１または請求項２に記載のフラワーデザイン方法。
【請求項４】
ディスプレイ画面の２次元座標で作成されたフラワーアレンジメントの画像の奥行感は、各々の切花の画像を重ねる順序によって表現可能となっていることを特徴とする請求項３に記載のフラワーデザイン方法。
【請求項５】
３次元空間で撮影したフラワーデザインの画像を表示したディスプレイ画面の２次元座標上で、新たに追加する切花の位置として指定したＸ座標、Ｙ座標から、３次元空間での位置を推定し、３次元空間で当該位置に指定した切花を追加した場合の映像を推定して、ディスプレイ画面に表示可能としたことを特徴とするフラワーデザイン方法。
【請求項６】
前記の新たに追加する切花の３次元空間での最適な位置を割り出すには、(1).全て切花の茎の根元は１点で交差する、(2).フラワーアレンジメントに新たに切花を追加する場合は、正面から見て最も見栄えのいい形である茎軸回転の角度が０の画像を挿入する、(3).フラワーアレンジメントに新たに切花を追加する場合、追加する切花の茎や葉が他の切花の花を覆わないように配置する、という法則に則って行ない、割り出した３次元空間の位置における切花の画像ファイル名を決定し、該当する画像ファイルを読込んで、切花を追加した後のフラワーアレンジメントの画像を作製可能としたことを特徴とする請求項５に記載のフラワーデザイン方法。
【請求項７】
切花の画像が１本以上配置されている前記のフラワーアレンジメントの画像に、新たに切花を追加する際には、指定したＸ座標、Ｙ座標の位置がどの花を指定しているかを検査する方法であって、最前面の画像から順次検査して、画像ファイルの範囲内で、かつ、背景部分の色である透明以外の色が位置しているとき、当該画像ファイルの花が指定されたと判断することを特徴とする請求項６に記載のフラワーデザイン方法。
【発明の詳細な説明】
【０００１】
【産業上の利用分野】
本発明は、インターネットに接続されたパソコン上で、生花の通信制作配達販売とフラワーデザイン教室を運営する目的で、自由に、かつ簡単に、誰にでも、スピーディーに、フラワーデザインができるソフトフェア（以降、「生花通信制作配達支援プログラム」と呼ぶ）に関する。「生花通信制作配達支援プログム」は、フラワーデザイン機能と、メッセージカードの作成機能を持っている。
【０００２】
【従来の技術】
特開平９−204466号公報に記載のように、花をワークステーションやマイクロコンピュータの端末機で、イメージに合ったものを選択でき、注文して購入できるような花の販売方法が提案されている。
【０００３】すなわち、花および花に関する情報をインターネット等に接続可能なホストコンピュータに入力またはＣＤ−ＲＯＭに入力しておいて、このホストコンピュータに接続した端末機または上記ＣＤ−ＲＯＭを装着した端末機で所望の花を選択し、この端末機の画面にフラワーアレンジメントを自動的に出力してイメージに合ったものを販売するようにしている。
【０００４】特に、端末機で花や花器、花壇等を選択すると、自動的に端末機の画面上で四季折々の花情報、販売価格等に対応した複数のフラワーアレンジメントを出力して、イメージに合ったものを端末機を介して購入できるようにしている。
【０００５】
【発明が解決しようとする課題】
しかしながら、このような花の販売方法では、予め設定されたフラワーアレンジメントしか扱うことができず、フラワーアレンジメント自体に自由に変更を加えたりすることはできない。そのため、複数の所望の花を自由自在に組み合わせたりすることはできず、販売できるフラワーアレンジメントの種類が制限される。したがってまた、インターネット上でフラワーデザイン教室を開催して、生徒がパソコンの画面上で自由自在にフラワーデザインするなどのサービスは不可能である。
【０００６】次に、現在一般に行われるている生花の通信配達販売について説明する。現在、 生花の遠隔地への配達は、 花の贈り物が主で、ビジネスの形態には２種類ある。
【０００７】第１の形態は、日本生花通信配達協会（通称、花キューピット）に代表されるように、全国の花屋が何社かで、グループを作り、 グループごとに同じカタログ集を持ち合って、何種類かのデザインの写真カタログ集から、カタログ番号を指定して注文する方法である。カタログ番号を指定するために、新築祝い、開店祝い等の行事に花の贈り物をすると、同じカタログ番号のデザインの花が、 複数の人から送られてくる可能性が出てくる。また、同じ人に何回も花を贈る場合、カタログ集から選ぶと、デザインの種類が限られているため、おのずと、過去に贈ったデザインと同じ物を贈らざるを得なくなる。特に国外への注文について、既存の業者は、 各国ともデザインは１種類に限定しており、同じ国へは、同じデザインしか送れないので、 余計に問題は大きい。
【０００８】フラワーデザインに対する考え方や好みは、 多種多様で、 限定されたカタログから選ぶだけでは満足できない人は数多い。事実、最近の傾向として、 カタログ写真そのままのデザインで注文するのではなく、 カタログ写真に好みを加えて、 花の品種、 色、本数を自分の好みに変える、「お好み」と言われるやり方が、 急激に増えてきている。カタログ番号何番のデザインを黄色上りにして欲しいとか、カタログ番号何番のデザインの菊をカーネーションに替えてほしいいう注文のやり方で、今後ますます増えると言われている。なお、フラワーデザインを学ぶ若い女性が増えたことも、 「お好み」の増加につながっていると考えられている。
【０００９】「お好み」の注文が増えていくにしたがって、注文者のイメージと、出来上がったフラワーデザインのイメージが違うという苦情も多くなっているが、花の品種や色や本数を変えた場合に、 フラワーデザインのイメージがどのように変わるかは、 実際に制作してみないとわからないところがあるので、注文時にフラワーデザインのイメージの確認を画像で行わない限り、 この問題は解決されない。
【００１０】今までは、注文時の側面から「お好み」の問題点を見てきたが、「お好み」の注文が増えるに従って、生花の制作現場でも、 問題がクローズアップされるようになってきた。花の受注時の受付担当者と、生花の製作担当者との間のデザイン情報や意思の伝達である。
【００１１】現在、 受注した生花のデザイン情報である、 デザインの形、 花の品種、 色、 本数は、 伝票又はメモ、 あるいは略図で、 製作担当者に伝達されているが、フラワーデザインの形については、文字で伝えるのは非常に難しいために、 デザイン情報がうまく伝わらないという問題が発生する。メモまたは略図で制作指示を行っても、 制作作業の前にデザインのイメージを、注文を取った人に聞きにくることが多いし、 注文を取った人が配達で外出しているときは、携帯電話にまで電話してデザインのイメージを確認してくるのが現状である。また、注文を受けた日と配達日に時間差がある場合、 注文を受けた人でも、 注文受付時に作成した略図又はメモから、 注文内容を思い出すことは難しくなる。もうひとつの問題は、 何日か前にデザインして貰ったのと同じのを、 別の人に送ってほしいと言われる場合で、２〜３日前にデザインした花のイメージを思い出すことさえ出来ないことがある。
【００１２】生花の注文方法は、 「定番」、「お好み」以外に、 フラワーデザインの種類と金額だけを指定して、 デザインの形、 品種、 色、 本数は全て花屋にまかせる「お任せ」というやり方が有るが、 「お任せ」では別の問題が発生する。花の品種や色は花屋にまかされるが、切花は寿命が短いため、 仕入れてから日数が経過した花を優先して使用することを、 花屋の経営者なら誰でも考える。ところが、従業員の場合は、その意識が低く、 自分好みの花を使用するため、 仕入れた花が劣化して、破棄する割合が高くなる。そのような理由で、 仕入れた切花の破棄率が経営を大きく左右する花屋において、「お任せ」の受注は、 経営者が担当し、 デザインの形と使用する花の品種、 色を決定して、 制作担当者に伝達し、 配達日に制作させて、 配達するのが普通のやり方である。店舗を増やして、従業員に花の受注と制作を任した場合、 切花の破棄率が高くなるのは、 花屋の業界では、常識である。このように、花の注文担当者と制作担当者のデザイン情報の伝達は、 花屋経営の大きな課題でもある。
【００１３】第２の形態は、インターネット通販である。インターネットでの花の注文は、 ここ最近大幅に伸びてきているが、この場合は、 前記従来例のように、完全にカタログから、 規格品のデザインを選ぶ「定番」だけに限られ、注文主の好みを取り入れている業者はいないし、その手法も今のところはない。そのために、フラワーデザインあるいは生花を学んだ人にとっては、満足できず、 花屋の店頭まで出かけて、 「お好み」で注文しているのが現状である。このような問題を解決するためには、本発明による「生花通信制作配達販売支援プログラム」のような、フラワーデザインの情報を画像イメージで自由自在に作成し、 しかもお互いに手直しやりながら、デザイン情報をやり取りできるソフトウェアの存在が不可欠である。
【００１４】この技術が可能になると、フラワーデザイン教室も容易に実現できる。顧客を対象に、 フラワーデザイン教室を開いている花屋は多い。まだ教室を開いていない花屋でも、 ほとんどが、できれば教室を開きたいと考えている。また、フラワーデザインを学んでみたいと思っている若い女性も多いが、 お互いの時間が合わないのと、花材が高いために、 躊躇しているのが現状である。
【００１５】ところが、本発明による「生花通信制作配達販売支援プログラム」を利用すると、自由な発想でデザインした花を、世界各地の花屋に注文して制作配達させ、配達が完了した生花の写真画像を、送り主に送信して確認させる、生花の遠隔地配達に関する事業が可能となる。
【００１６】この「生花通信制作配達支援プログラム」を稼動させるためには、前もって、世界の花屋の、名称、住所、電話番号を、電話帳から登録し、Ｅ−メールアドレスを収集しておく。また、地域別、或いは国別の花の標準単価を登録しておくと、花の品種本数を変えるたびに、標準単価で花の代金を計算して表示するので、予算に合わせながら、自由にデザインできる。もちろん、日本国内のみで事業展開する場合は、花屋データの登録も、国内の花屋に限定できる。
【００１７】本発明の技術的課題は、このような要望を満足できるように、自由に、かつ簡単に、誰にでも、スピーディーに、フラワーデザインができるソフトフェアを実現することにある。さらに、こようなフラワーデザイン機能に加えて、メッセージカードの作成機能を持たせることにある。
【００１８】
【課題を解決するための手段】
本発明の技術的課題は次のような手段によって解決される。
【００１９】請求項１は、視点を固定した状態で、１本の切花を、茎の根元の断面中心点を支点にして動かした場合、当該切花の、視点に向かっての前方傾斜と、視点に対して平行な左右への回転角度と、切花の茎の中心線を軸にした回転角度ごとに、フラワーアレンジメントを見る時の視点と同じ位置にカメラを固定して、切花の画像を撮影し、左右回転の角度と前方傾斜の角度と茎軸回転の角度及び草丈の長さごとに画像のファイル名を生成して保存しておくことを特徴とするフラワーデザイン方法である。
【００２０】このように、視点に向かっての前方傾斜と、視点に対して平行な左右への回転角度と、切花の茎の中心線を軸にした回転角度ごとに、かつ草丈の長さごとに画像を撮影してファイル名を生成し、保存する手法によると、切花のあらゆる態様を２次元のディスプレイ画面上に表現できるので、自然で無限のフラワーアレンジメントが可能となり、また切花の各態様をファイル名で容易に呼び出してディスプレイ画面に表示し、自由にフラワーデザインできる。
【００２１】請求項２は、前記の切花の画像の撮影は、３方見で、クロスポイントが１つの状態で行ない、３方見でクロスポイントが１つのフラワーアレンジメントを実現可能としたことを特徴とする請求項１に記載のフラワーデザイン方法である。
【００２２】このように、切花の画像の撮影は、３方見で、クロスポイントが１つの状態で行なうため、４方見に比べて少ない情報量で表現でき、またクロスポイントが１つなため、少ない情報量で、それでいて自然なフラワーアレンジメントが可能となる。
【００２３】請求項３は、フラワーデザインに際して、切花の中心点を支点にして任意に動かした位置での画像を、前記の左右への回転の角度、前方傾斜の角度、茎軸回転の角度および草丈の長さを指定することで、当該切花の画像をパソコンのディスプレイ画面上に表示可能としたことを特徴とする請求項１または請求項２に記載のフラワーデザイン方法である。
【００２４】このように、フラワーデザインに際して、切花の中心点を支点にして任意に動かした位置での画像を、前記の左右への回転の角度、前方傾斜の角度、茎軸回転の角度および草丈の長さを指定することで、当該切花の画像をパソコンのディスプレイ画面上に表示する手法を採っているため、各切花のあらゆる態様を呼び出して表現でき、その結果、自由自在に無限に近いフラワーデザインが可能となる。
【００２５】請求項４は、ディスプレイ画面の２次元座標で作成されたフラワーアレンジメントの画像の奥行感は、各々の切花の画像を重ねる順序によって表現可能となっていることを特徴とする請求項３に記載のフラワーデザイン方法である。
【００２６】このように、ディスプレイ画面の２次元座標で作成されたフラワーアレンジメントの画像の奥行感は、各々の切花の画像を重ねる順序によって表現する手法を採っているため、フラワーデザインに際しては、各切花の画像を重ねる順序を指定することによって、好みの切花を好みの奥行きに配置でき、各切花の配置を意のまま、容易に選べる。
【００２７】請求項５は、３次元空間で撮影したフラワーデザインの画像を表示したディスプレイ画面の２次元座標上で、新たに追加する切花の位置として指定したＸ座標、Ｙ座標と、Ｘ座標、Ｙ座標上に位置する花の画像が有る場合は当該花画像の前方傾斜の角度から、Ｘ座標、Ｙ座標上に位置する花の画像がない場合は前方傾斜の角度を０度として、３次元空間での位置を推定し、３次元空間で当該位置に指定した切花を追加した場合の画像を推定して、ディスプレイ画面に表示可能としたことを特徴とするフラワーデザイン方法である。
【００２８】このように、３次元空間で撮影したフラワーデザインの画像を表示したディスプレイ画面の２次元座標上で、新たに追加する切花の位置として指定したＸ座標、Ｙ座標と、Ｘ座標、Ｙ座標上に位置する花の画像が有る場合は当該花画像の前方傾斜の角度から、Ｘ座標、Ｙ座標上に位置する花の画像がない場合は前方傾斜の角度を０度として、３次元空間での位置を推定し、３次元空間で当該位置に指定した切花を追加した場合の画像を推定して、ディスプレイ画面に表示する方法を採っているため、２次元空間で、Ｘ座標、Ｙ座標を指定するだけで、３次元空間での要素である前方傾斜の角度を指定することができる。
【００２９】請求項６は、前記の新たに追加する切花の３次元空間での最適な位置を割り出すには、(1).全て切花の茎の根元は１点で交差する、(2).フラワーアレンジメントに新たに切花を追加する場合は、正面から見て最も見栄えのいい形である茎軸回転の角度が０の画像を挿入する、(3).フラワーアレンジメントに新たに切花を追加する場合、追加する切花の茎や葉が他の切花の花を覆わないように配置する、という法則に則って行ない、割り出した３次元空間の位置における切花の画像ファイル名を決定し、該当する画像ファイルを読込んで、切花を追加した後のフラワーアレンジメントの画像を作製可能としたことを特徴とする請求項５に記載のフラワーデザイン方法である。
【００３０】このように、前記の新たに追加する切花の３次元空間での最適な位置を割り出すには、(1).全て切花の茎の根元は１点で交差する、という法則に従って行なうため、より少ない情報量で自然なフラワーデザインが可能となる。また、(2).フラワーアレンジメントに新たに切花を追加する場合は、正面から見て最も見栄えのいい形である茎軸回転の角度が０の画像を挿入する、という法則に従って行なうため、より美しいフラワーデザイが可能となる。さらに、(3).フラワーアレンジメントに新たに切花を追加する場合、追加する切花の茎や葉が他の切花の花を覆わないように配置する、という法則に従って行なうため、追加する切花によっで、他の切花が犠牲になることはなく、自然なフラワーデザインが可能となる。
【００３１】また、割り出した３次元空間の位置における切花の画像ファイル名を決定し、該当する画像ファイルを読込んで、切花を追加した後のフラワーアレンジメントの画像を作製するため、各切花の各態様を自由自在に組み合わせて、自然で無限に近い豊富なフラワーデザインが可能となる。
【００３２】請求項７は、切花の画像が１本以上配置されている前記のフラワーアレンジメントの画像に、新たに切花を追加する際には、指定したＸ座標、Ｙ座標の位置がどの花を指定しているかを検査する方法であって、最前面の画像から順次検査して、画像ファイルの範囲内で、かつ、背景部分の色である透明以外の色が位置しているとき、当該画像ファイルの花が指定されたと判断することを特徴とする請求項６に記載のフラワーデザイン方法である。
【００３３】このように、切花の画像が１本以上配置されている前記のフラワーアレンジメントの画像に、新たに切花を追加するために、指定したＸ座標、Ｙ座標の位置がどの花を指定しているかを検査する際に、最前面の画像から順次検査して、画像ファイルの範囲内で、かつ、背景部分の色である透明以外の色が位置しているとき、当該画像ファイルの花が指定されたと判断する手法を採っているため、２次元空間で、Ｘ座標、Ｙ座標を指定するだけで、３次元空間での要素である前方傾斜の角度を指定することができる。さらに、新たに追加する切花の茎や葉が他の切花の花を覆わないように配置することができる。
【００３４】
【発明の実施の形態】
次に本発明によるフラワーデザイン方法が実際上どのように具体化されるか実施形態を説明する。２次元のディスプレイ画面上でフラワーデザインを行なうには、その材料となる１本１本の切花の画像情報を作成し、用意しておく必要がある。したがって、先ず１本の切花の画像情報の作成手法を説明する。
【００３５】〔フラワーデザイに使用する切花の画像をディスプレイ画面上で作成する方法〕
ディスプレイ画面（パソコンに接続されたＣＲＴに表示された、２次元の画像を意味する。以下同様）上で、切花の画像を重ね合わせて、３方見で、クロスポイントが１つのフラワーアレンジメント「以降、フラワーアレンジメントと言った場合は、３方見でクロスポイントが１つのフラワーアレンジメントを意味する」の画像を作成する方法を詳述する。
【００３６】図１は、１本の切花の前方傾斜角、すなわちカメラに向かっての前後へ回転した時の角度であり、真っ直ぐに鉛直に立てた状態を、前方傾斜角＝０とし、前方、すなわちカメラの方向に傾斜するごとに前方傾斜角は大きくなる。なお、カメラのレンズの位置は、人間がフラワーデザインを見る時の視点から考えて、茎の根元から１０センチが最適である。
【００３７】図２は、１本の切花の左右回転角、すなわちカメラと平行に時計回りへ回転した時の角度であり、真っ直ぐに鉛直に立てた状態を、左右回転角＝０とし、カメラと平行に時計回りに回転するごとに左右回転角は大きくなる。なお、左右回転及び左右回転の回転角度の単位「以下、単位回転角と呼ぶ」は図示例では３０度となっているが、設定は自由である。
【００３８】図３は、１本の切花の茎軸回転角、すなわち茎の中心線を軸にして回転させた角度であり、前方傾斜角と左右回転を組み合わせた位置で、茎軸回転を行う。切花の撮影位置としては、茎軸回転、前方傾斜、左右回転を組み合わせた位置になる。また、茎軸回転の単位回転角も自由である。なお、花が正面を向いた位置を茎軸回転角＝０に設定する。正面とは、切花の花が最も見栄えの良い位置をいい、主観的に決定される。
【００３９】切花の撮影順序としては、
（１）．茎軸回転角＝０の花の向きで、前方傾斜、左右回転の組合せを作り、撮影する。
（２）．茎軸回転角＝単位回転角で、前方傾斜、左右回転の組合せを作り、撮影する。
（３）．茎軸回転角＝２×単位回転角で、前方傾斜、左右回転の組合せを作り、撮影する。
（４）．茎軸回転角＝Ｎ×単位回転角で、前方傾斜、左右回転の組合せを作り、撮影する。
【００４０】以下、図１〜図３に基づいて説明する。まず、視点を固定した状態で、１本の切花を、茎の根元の断面中心点を支点にして動かした場合、当該切花がとり得る形は、当該切花の、視点に向かっての前方傾斜「以降、前方傾斜と呼ぶ」の角度（図１）と、視点に対して平行な左右への回転「以降、左右回転と呼ぶ」の角度（図２）と、切花の茎の中心線を軸にした回転「以降、茎軸回転と呼ぶ」の角度（図３）によって決定される。
【００４１】このとき、それぞれの単位回転角を１０度（平行回転、垂直回転、軸回転を１０度づつ回転させる）とすると、
当該切花がとり得る形の数＝３６×３６×３６＝４６，６５６（４方見のフラワーアレンジメントの画像を作成するときに必要な切花の画像の数）となる。なお、３方見フラワーアレンジメントの場合は、切花の画像の数は４方見の半分になる。
【００４２】したがって、フラワーアレンジメントを見る時の視点と同じ位置にカメラを固定して、４６，６５６個の画像を撮影し、左右回転の角度と前方傾斜の角度と茎軸回転の角度及び草丈の長さごとに画像のファイル名を生成して保存しておく。その結果、フラワーデザインに際して、切花の中心点を支点にして任意に動かした位置での画像を、左右回転の角度、前方傾斜の角度、茎軸回転の角度および草丈の長さを指定することで、当該切花の画像をパソコンのディスプレイ画面上に表示することができる。なお、単位回転角は小さいほど、細かく動かすことが出来る。
【００４３】図４は、切花の茎の長さを短くしながらの画像の作成手法を例示する正面図であり、前方傾斜と左右回転及び茎軸回転を組み合わせた状態の撮影処理を、茎の長さを１単位（長さは自由に設定）づづ短くしながら、茎の長さ＝０になるまで繰り返す。
【００４４】すなわち、固定したカメラの正面に茎の先端を１点に固定した切花を置いて、茎の長さを短くしながら撮影し、撮影した画像の背景を透明（背景の色を黒にして、ディスプレイ画面に表示する時は、黒は透明とする）にして、パソコンのディスプレイ画面上で、茎の先端が交わるように、前方傾斜角の順序（前方傾斜角の順序とは、前方傾斜角＜＝９０の場合、前方傾斜角の小さい順、前方傾斜角＞９０の場合、前方傾斜角の大きい順をいう。以降、前方傾斜角の順序と言った場合は、同様のことを意味する）に切花の画像を重ね合わすことで、正面から見たフラワーアレンジメントの画像の写真イメージを作成することが出来る。なお、前方傾斜角は０から１８０度、左右回転角と茎軸回転は０から３５９、になる。また、左右回転と前方傾斜及び茎軸回転１単位の角度及び草丈の長さを短くする時の１単位の長さのは自由に設定することが出来る。
【００４５】〔画像ファイルのファイル名のつけ方〕
前記のようにして作成された画像に画像ファイル名をつける。すなわち、前方傾斜、左右回転、茎軸回転、草丈の長さの組合せの位置で作成された画像ファイルは、「前方傾斜角−左右回転角−茎軸回転角−草丈の長さ」のファイル名で、品種別、色別のホルダーに保存する。
【００４６】したがって、３次元空間での位置の要素を指定することで、該当する切花の画像ファイルを呼び出すことが出来る。また、呼び出した画像ファイルを、パソコンのディスプレイ上で、茎の先が１箇所で交わるように表示すれば、フラワーデザインの画像を作成することが出来る。
【００４７】この時、パソコンのディスプレイ画面の２次元座標で作成されたフラワーアレンジメントの画像の奥行感は、各々の切花の画像を重ねる順序によって表現される。なお、今回の装置は、クロスポイントが１つのフラワーアレンジメント画像を作成する装置である。クロスポイントとは、花を活ける場合、それぞれの茎が１点で交わるようにするが、その交わった点をいう。
【００４８】次に、パソコンのディスプレイ画面上で、フラワーデザインの画像を作成する方法を説明する。まず、図５のように、切花の品種と色及び画像ファイルのファイル名（前方傾斜角−左右回転角−茎軸回転角−草丈の長さ）を指定して切花の画像ファイルを読み込んでから、図６のように、パソコンのディスプレイ上に読込んだ画像ファイルの画像を、茎の先が同一座標（同じ位置）になるように、前方傾斜角の順序に表示していく。なお、前方傾斜角の順序が等しい画像が指定された場合は、先に指定された画像から、背面に表示する。また、各々の切花の、画像ファイルの中での茎の先の位置情報は、画像ファイル別にデータベースに保存しておく。
【００４９】〔ディスプレイ画面上で切花を追加表示する手法〕
前記の手法で撮影した切花の画像は、次のようにしてディスプレイ画面上表示する。すなわち、３次元空間で撮影したフラワーデザインの画像を表示したディスプレイ画面の２次元座標上で、新たに追加する切花の位置として指定したＸ座標、Ｙ座標から、３次元空間での位置を推定し、３次元空間で当該位置に指定した切花を追加した場合の映像を推定して、ディスプレイ画面に表示する。
【００５０】３次元空間でのフラワーアレンジメントの、切花の位置は、左右回転方向の２次元座標と前方傾斜方向の３次元座標で表される。図１〜図６の手法により作成された切花の画像をパソコンのディスプレイ画面上で重ねて合わせて表示したフラワーアレンジメントの画像は、左右回転方向の２次元座標で表現される。
【００５１】この場合、任意の位置に新たに切花を配置したフラワーアレンジメントの画像を作成する時、パソコンのディスプレイ画面で、Ｘ軸、Ｙ軸の２次元の要素を指定するだけで、下記のフラワーアレンジメントの法則から、追加する切花の３次元空間での最適な位置を割り出して、割り出した３次元空間の位置における切花の映像、すなわち画像ファイル名（前方傾斜角と左右回転角と茎軸回転角及び草丈）を決定し、該当する画像ファイルを読込んで、切花を追加した後のフラワーアレンジメントの画像を作製する。
【００５２】次に、その詳細を、下記の処理１ないし処理５に従って処理動作順に詳述する。なお、フラワーアレンジメントに切花を追加する場合の法則は、以下のとおりとする。
【００５３】法則１：全て切花の茎の根元は１点で交差する。この点はクロスポイントと呼ばれる。最初の１本目は、茎の根元がオアシスの、上の面の、中心から下に３センチメートルの位置にくるようにする。なお、オアシスとは、切花を差し込む緑色のスポンジ状の資材である。
【００５４】法則２：フラワーアレンジメントに新たに切花を追加する場合は、正面から見て最も見栄えのいい形で挿入する。
【００５５】法則３：フラワーアレンジメントに新たに切花を追加する場合、追加する切花の茎や葉が他の切花の花を覆わないように配置する。
【００５６】処理１．追加する切花の茎軸回転角を算出する。
「フラワーアレンジメントに新たに切花を追加する場合は、正面から見て最も見栄えのいい形で挿入する。」という法則２から、茎軸回転角＝０（正面から見て最も見栄えのいい角度を茎軸回転角＝０と設定している）となる。
【００５７】Ｓ２．追加する切花の左右回転角とパソコンのディスプレイ画面上での草丈を算出する。
「全て切花の茎の根元は１点で交差する。この点はクロスポイントと呼ばれる。」という法則１から、追加する切花の茎の根元は、クロスポイントの位置になければならない。クロスポイントのＸ座標とＹ座標をＸ１、Ｙ１とし、追加する位置のＸ座標とＹ座標をＸ１、Ｙ１とすると、
左右回転角＝アークタンゼント｛（Ｙ１−Ｙ２）の絶対値／（Ｘ１−Ｘ２）の絶対値｝
ａ＝（Ｘ１−Ｘ２）×（Ｘ１−Ｘ２）＋（Ｙ１−Ｙ２）×（Ｙ１−Ｙ２）とすると
パソコンのディスプレイ画面上での草丈＝√a
【００５８】Ｓ３．追加する切花の前方傾斜角を算出する。
前方傾斜角は、３次元座標での角度であるため、２次元座標であるパソコンのディスプレイ画面上で直接算定することはできない。切花の画像は、パソコンのディスプレイ画面上で前後角の順序に重ね合わされて表示されているので、追加する切花の重ねあわせる順番を決定することで、３次元座標での前方傾斜角を推定することが出来る。
【００５９】図７において、パソコンのディスプレイ画面で←の位置に切花を追加する手法を説明する。パソコンのディスプレイ画面で←の位置に切花を追加する場合に、「フラワーアレンジメントに切花を追加する場合の法則」に基づいて、ディスプレイ画面の２次元座標で追加後の画像を作成してみる。
【００６０】追加する切花の、２次元座標での左右回転角及と茎の根元（クロスポイント）及び左右回転座標での草丈は前述した方法で算定できる。また、茎軸回転角＝０である。該当する条件の切花の画像を、仮に最前面に重ねると、図８のようになる。
【００６１】図８からもわかるように、新たに追加する切花の画像を、単純に最前面に重ねて表示した場合、追加する切花より前に配置されている切花の草丈が新たに追加する切花の草丈より短い場合、追加する切花より前に配置されている切花の花（花２、花３）が追加する切花の茎や葉で覆われてしまう。
【００６２】フラワーアレンジメントに切花を追加する場合の法則の「法則３：フラワーアレンジメントに新たに切花を追加する場合、追加する切花の茎や葉が他の切花の花を覆わないように配置する。」に基づいて、追加するには、追加する切花の画像を重ねる位置は、図９のように、花１の直前でなければなら
ない。
【００６３】フラワーアレンジメントの画像は、３次元空間での前方傾斜角の順序に、切花の画像を重ねて表示してある。花１の直前に追加する切花の画像を重ねるということは、３次元空間での前方傾斜角を花１の前方傾斜角と同じにすることを意味する。
【００６４】また、草丈をＡ、パソコンのディスプレイ画面上での切花の追加指定位置からクロスポイントまでの長さをＢ、前方傾斜角をＣとすると、
Ａ＝Ｂ／（ CosＣ）
【００６５】Ｓ４．新たに追加する切花の画像ファイルの読込と表示
前記の〔画像ファイルのファイル名のつけ方〕で説明したように、切花の画像ファイルのファイル名は、「前方傾斜角−左右回転角−茎軸回転角−草丈」で保存されているので、Ｓ１〜Ｓ３で算出した前方傾斜角、左右回転角、茎軸回転角、草丈でファイル名を生成して切花の画像ファイルを読み込み、パソコンのディスプレイ画面上で、茎の先が同一座標になるように、前方傾斜角の順序に画像を表示すれば、新たな切花を追加したフラワーアレンジメントの画像が作成できる。
【００６６】処理５．前方傾斜角を算定する手順
図１０に、切花の画像が１本以上配置されているフラワーアレンジメントの画像に、新たな切花を追加する時のフローチャートを示す。なお、最初の１本目の切花を配置する場合は、前方傾斜角＝０となる。
【００６７】図１０において、先ず、ステップＳ１のように、ＣＲＴ画面の中で、切花を追加する位置をクリックして、Ｘ、Ｙ座標を算定する。次いで、ステップＳ２のように、最前面の切花の画像を、領域チェックの対象画像とする。次に、ステップＳ３のように、前記のＸ、Ｙ座標はチェック対象画像の領域内かどうかを判定し、その結果、領域内であれば、ステップＳ４のように、Ｘ、Ｙ座標は透明色かどうかを判定する。そして、透明でない場合、ステップＳ５のように、前方傾斜角は対象画像と同じとし、表示順序は１つ前面とする。
【００６８】ステップＳ３において、Ｘ、Ｙ座標はチェック対象画像の領域内でない場合、またはステップＳ４においてＸ、Ｙ座標が透明色の場合は、ステップＳ６のように、領域チェックの対象画像は最背面画像かどうかを判別し、最背面画像であれば、ステップＳ７のように、前方傾斜角は対象画像と同じとし、表示順序は１つ背面とする。
【００６９】ステップＳ６における判別結果が、領域チェックの対象画像は最背面画像でない場合は、ステップＳ８のように、１つ背面の切花の画像を、領域チェックの対象画像とし、再びステップＳ３に戻って、前記のＸ、Ｙ座標はチェック対象画像の領域内かどうかを判定する。
【００７０】以上のような本発明によるフラワーデザイン方法の機能と特徴を列挙する。
１．独自の発想で、花器の色形及び花の１本目から挿していくことも出きるし、フラワーデザインの模範写真から手本にするデザインを選び出し、直したい部分だけ直すことも出来る。なお、模範写真の数については、限定はない。
２．使用する、花器の色形と、花の品種、色を自由に選択できる。なお、花の品種は、世界中の花屋で扱っている全ての切花が扱える。
３．花は、 任意の位置に、 任意の角度で、 任意の形で、差し込むことができる。
４．ドラッグするだけで、花及び花器をどの方向へも自由に移動できる。
５．花をクリックするだけで、左右、前後への傾斜、左右へのひねりができる。
６．ドラッグするだけで、茎の長さを、自由に変えることができる。
７．花の品種、色、大きさを、クリックするだけで自由に変えることが出来る。
８．花の開き具合、１分、５分、満開を、クリックだけで変えることができる。
９．同じ品種を同時に、品種、または色を変えることが出来る。
１０、器の、形、色、高さ、幅を、クリックだけで、自由に変えることが出来る。
１１．ドラッグするだけで、花どうしの、位置を替えることが出来る。
１２．クリックだけで、どの花も自由に取り除くことが出来る。
１３．花の、前面、背面への移動は、ドラッグだけで自由に出来る。
１４．葉っぱを落としたり、付けたりすることが、クリックだけで自由に出来る。
１５．クリックだけで、全ての花の品種、色、大きさを同時に変えることができる。
１６．クリックだけで、全ての花の、茎の長さを同時に変えることができる。
１７．花は、ドラッグ・ドロップするだけで、任意の位置に複写できる。
１８．ドラッグ・ドロップするだけで、別の花と同じ花にすることが出来る。
１９．花の品種、本数が変るたびに、各地域別、或いは国別の標準単価で、代金を計算して表示するので、予算に合わせながら、デザインできる。なお、個別の花屋が、独自の単価を設定した場合は、花屋個別の単価で代金計算を行う。
２０．花、花器とも、画像は、写真イメージなので、リアリティーできれい。
２１．デザインした作品を、Ｅ- メールで送ることが出来る。
２２．Ｅ- メールでもらった作品を、「生花通信制作配達支援プログラム」で、部分的に直して、送り返すことが出来る。
２３．「生花通信制作配達支援プログラム」と操作説明書はインターネットで配布でき、操作自体は、シンプルで簡単であり、パソコンの初心者でも楽に操作できる。
【００７１】以上のような特徴を有するので、本発明によるフラワーデザイン方法を利用することによって、次のような各種のサービスが可能となる。
【００７２】一．花の通信制作配達販売
【００７３】１．生花の注文処理
花を注文し、配達を依頼したい場合は、次の処理を行う。
(1).インターネットで本システムのＷｅｂサイトへ接続し、「生花通信制作配達支援プログラム」を起動する。
(2).配達先の住所を入力すると、「生花通信制作配達支援プログラム」が配達先住所と同じ地区の花屋を何件か表示する。その中のどれかを選択すると配達を依頼する花屋として指定される。（以降、配達を依頼された花屋を受注花屋と呼ぶ）
(3).「生花通信制作配達支援プログラム」の各機能を用いて、デザインする。
(4).注文主の住所、氏名、電話番号と、配達先の氏名、電話番号入力して、送信すると、デザイン情報がＥ- メールの添付ファイルで受注花屋へ送られる。
【００７４】２．生花の受注処理
受注花屋で注文主から送られてきた、Ｅ−メールの添付ファイルを開けて「生花通信制作配達支援プログラム」を起動すると、注文を受けたフラワーデザインの写真が表示されるので、注文通りの制作及び配達が可能な場合は、注文了承メッセージを注文主に返信する。何らかの理由で制作あるいは配達が不可能な場合は、送られてきた注文情報を部分的に修正してから送り返す。
【００７５】注文主に送り返された注文情報を再び修正して、 受注花屋へ送り返すことも出来る。どちらかが了解メッセージを送信することで、注文受付処理は完了する。なお、制作不可能な場合とは、指定された花の品種の在庫がない場合とか、指定されたデザインでは物理的に制作が不可能な場合等をいう。また、配達が不可能な場合とは、配達日が休業日だとか、配達先まで距離的に遠すぎるため、別途配達料金が必要な場合等をいう。
【００７６】３．生花代金の支払処理
受注花屋から注文了承メッセージが届いた後に、生花代金を、インターネット又は銀行窓口で振り込むかクレジットで決済する。なお、振込料金は、注文主の負担である。
【００７７】４．生花の制作処理
注文受付処理が完了した生花で入金済みのものは、制作担当の従業員にデザイン情報が伝達され、フラワーデザインの写真画像に基づいて制作され、配達される。
【００７８】５．処理の流れ図表
【００７９】
【表１】処理の流れ
2004199295.tif 000003
【００８０】二．メッセージカードの作成
花を贈る場合、メッセージカードは欠かせない。本発明では普通のカードだけでなく、キャラクターカード、からくりカード、折り紙メール、 ペーパークラフト・メール等、いろいろ方法で注文主のメッセージ伝えることが出来る。上記のいろいろな種類の型紙は、フラワーデザイン情報と共に、 Ｅ−メールで受注花屋へ送られ、受注花屋の従業員によって作成されて、花と共に届けられる。
【００８１】三．フラワーデザイン教室の開催
生花の通信制作配達販売を促進する目的で、希望する花屋にはインターネット上で、フラワーデザイン教室を、顧客会員を対象に、開催させる。「生花通信制作配達販売支援プログラム」は、フラワーデザインの模範写真に、自由に手を加えることが出来るだけでなく、花器の色、 形の選択から始まり、 花の１本から挿していけるので、パソコンの画面上で、 フラワーデザイン実習が出来る。なお、花屋にとっては、フラワーデザイン教室を開催することで、顧客の囲い込みと、教室で学習して制作したデザインで花の贈り物の注文が入ることを期待する。
【００８２】本発明の「生花通信制作配達販売支援プログラム」によるフラワーデザイン教室の特徴は以下の通りである。
1.いつでも、どこでも、誰にでも学べる。
2.世界中の切花を、何本でも使用でき、花材代がかからない。
3.フラワーデザインの模範作品を自分なりに、アレンジすることが出来る。
4.花の大きさを変えて、大きさのバランスをみることが出来る。
5.指定した花、または同じ品種を一斉に、色を変えて、色合せが出来る。
6.指定した花、または同じ品種を一斉に、品種を変えて、花合わせが出来る。
7.茎を長くしたり、短くしたり自由にできる。花器の形、色、大きさを自由に変えて、花との調和を見ることが出来る。
8.花の開き具合を、つぼみ、半開き、満開と変えて、形のバランスを見ることが出来る。
9.葉っぱを落としたり、付けたり出来るので、枝切りのシミュレーションが出来る。
【００８３】
【発明の効果】
請求項１のように、視点に向かっての前方傾斜と、視点に対して平行な左右への回転角度と、切花の茎の中心線を軸にした回転角度ごとに、かつ草丈の長さごとに画像を撮影してファイル名を生成し、保存する手法によると、切花のあらゆる態様を２次元のディスプレイ画面上に表現できるので、自然で無限のフラワーアレンジメントが可能となり、また切花の各態様をファイル名で容易に呼び出してディスプレイ画面に表示し、自由にフラワーデザインできる。
【００８４】請求項２のように、切花の画像の撮影は、３方見で、クロスポイントが１つの状態で行なうため、４方見に比べて少ない情報量で表現でき、またクロスポイントが１つなため、少ない情報量で、それでいて自然なフラワーアレンジメントが可能となる。
【００８５】請求項３のように、フラワーデザインに際して、切花の中心点を支点にして任意に動かした位置での画像を、前記の左右への回転の角度、前方傾斜の角度、茎軸回転の角度および草丈の長さを指定することで、当該切花の画像をパソコンのディスプレイ画面上に表示する手法を採っているため、各切花のあらゆる態様を呼び出して表現でき、その結果、自由自在に無限に近いフラワーデザインが可能となる。
【００８６】請求項４のように、ディスプレイ画面の２次元座標で作成されたフラワーアレンジメントの画像の奥行感は、各々の切花の画像を重ねる順序によって表現する手法を採っているため、フラワーデザインに際しては、各切花の画像を重ねる順序を指定することによって、好みの切花を好みの奥行きに配置でき、各切花の配置を意のまま、容易に選べる。
【００８７】請求項５のように、３次元空間で撮影したフラワーデザインの画像を表示したディスプレイ画面の２次元座標上で、新たに追加する切花の位置として指定したＸ座標、Ｙ座標と、Ｘ座標、Ｙ座標上に位置する花の画像が有る場合は当該花画像の前方傾斜の角度から、Ｘ座標、Ｙ座標上に位置する花の画像がない場合は前方傾斜の角度を０度として、３次元空間での位置を推定し、３次元空間で当該位置に指定した切花を追加した場合の画像を推定して、ディスプレイ画面に表示する方法を採っているため、２次元空間で、Ｘ座標、Ｙ座標を指定するだけで、３次元空間での要素である前方傾斜の角度を指定することができる。
【００８８】請求項６のように、前記の新たに追加する切花の３次元空間での最適な位置を割り出すには、(1).全て切花の茎の根元は１点で交差する、という法則に従って行なうため、より少ない情報量で自然なフラワーデザインが可能となる。また、(2).フラワーアレンジメントに新たに切花を追加する場合は、正面から見て最も見栄えのいい形である茎軸回転の角度が０の画像を挿入する、という法則に従って行なうため、より美しいフラワーデザイが可能となる。さらに、(3).フラワーアレンジメントに新たに切花を追加する場合、追加する切花の茎や葉が他の切花の花を覆わないように配置する、という法則に従って行なうため、追加する切花によっで、他の切花が犠牲になることはなく、自然なフラワーデザインが可能となる。
【００８９】また、割り出した３次元空間の位置における切花の画像ファイル名を決定し、該当する画像ファイルを読込んで、切花を追加した後のフラワーアレンジメントの画像を作製するため、各切花の各態様を自由自在に組み合わせて、自然で無限に近い豊富なフラワーデザインが可能となる。
【００９０】請求項７のように、切花の画像が１本以上配置されている前記のフラワーアレンジメントの画像に、新たに切花を追加するために、指定したＸ座標、Ｙ座標の位置がどの花を指定しているかを検査する際に、最前面の画像から順次検査して、画像ファイルの範囲内で、かつ、背景部分の色である透明以外の色が位置しているとき、当該画像ファイルの花が指定されたと判断する手法を採っているため、２次元空間で、Ｘ座標、Ｙ座標を指定するだけで、３次元空間での要素である前方傾斜の角度を指定することができる。さらに、新たに追加する切花の茎や葉が他の切花の花を覆わないように配置することができる。
【図面の簡単な説明】
【図１】１本の切花の前方傾斜角を説明する側面図である。
【図２】１本の切花の左右回転角を説明する正面図である。
【図３】１本の切花の茎軸回転角を説明する側面図である。
【図４】１本の切花の茎の長さを短くしながらの画像の作成手法を例示する正面図である。
【図５】画像ファイルの読み込みを説明する図である。
【図６】茎の先が同一座標になるように画像を表示していく手法を説明する正面図である。
【図７】ディスプレイ画面上に切花を追加する手法を説明する正面図である。
【図８】前に配置されている切花が追加する切花で覆われてしまう例を説明する正面図である。
【図９】追加する切花が適正な位置に挿入された例を説明する正面図である。
【図10】切花が配置されているフラワーアレンジメントの画像に新たな切花を追加する時の処理を説明するフローチャートである。
【図１】
2004199295.tif 000004
【図２】
2004199295.tif 000005
【図３】
2004199295.tif 000006
【図４】
2004199295.tif 000007
【図５】
2004199295.tif 000008
【図６】
2004199295.tif 000009
【図７】
2004199295.tif 000010
【図８】
2004199295.tif 000011
【図９】
2004199295.tif 000012
【図１０】
2004199295.tif 000013